(57)【要約】【課題】対物レンズを取り付けたレンズホルダーをチルト調整する。【解決手段】対物レンズ１３を取り付けたレンズホルダー１４を４本のサスペンションワイヤ１５の各一端部で支持し、且つ、４本のサスペンションワイヤ１５の各他端部をオプチカルベース１１上に設けたサスペンション部１１ｅに揺動自在に支持して、対物レンズ１３の光軸Ｋが光ディスクの信号面に対して略垂直な姿勢を取るようにレンズホルダー１４の傾斜角をチルト調整する際に、４本のサスペンションワイヤ１５の各他端部をサスペンション部１１ｅの左右側面側の上下に予め支持した上で、４本のサスペンションワイヤ１５の各一端部を対物レンズ１３の光軸Ｋが光ディスクの信号面に対して略垂直な姿勢を取るようにレンズホルダー１４の左右側面の上下に突出して設けた４本の導電性端子１４ｄの各先端部端面１４ｄ１のところで半田付けにより接合した。【選択図】　　　図４
2004005841.tif 000002
【特許請求の範囲】
【請求項１】
対物レンズを取り付けたレンズホルダーを４本のサスペンションワイヤの各一端部で支持し、且つ、前記４本のサスペンションワイヤの各他端部をベース上に設けたサスペンションに揺動自在に支持すると共に、前記対物レンズの光軸が光ディスクの信号面に対して略垂直な姿勢を取るように前記レンズホルダーの傾斜角をチルト調整可能に構成した光ピックアップ装置において、
前記４本のサスペンションワイヤの各他端部を前記サスペンションの左右側面側の上下に予め支持した上で、前記４本のサスペンションワイヤの各一端部を前記対物レンズの光軸が光ディスクの信号面に対して略垂直な姿勢を取るように前記レンズホルダーの左右側面の上下に突出して設けた４本の端子の各先端部端面のところで半田付け又は導電性ペーストもしくは接着剤により接合したことを特徴とする光ピックアップ装置。
【請求項２】
対物レンズを取り付けたレンズホルダーを複数本のサスペンションワイヤを介して可動部枠体内に揺動自在に支持し、且つ、前記可動部枠体内で前記対物レンズの下方に形成した凸状球面部をオプチカルベースに形成した凹状球面部上に摺動可能に嵌合させて、前記対物レンズの光軸が光ディスクの信号面に対して略垂直な姿勢を取るように前記可動部枠体の凸状球面部を前記オプチカルベースの凹状球面部上で変位させることにより前記可動部枠体の傾斜角をチルト調整した上でこの可動部枠体の外側面を前記オプチカルベース上に接着剤を用いて固着させた光ピックアップ装置において、
前記傾斜角をチルト調整した前記可動部枠体の外側面の上方部位を、前記オプチカルベース上に設けた固定壁の上方部位に前記接着剤を用いて前記光ディスクの信号面と略平行な方向に接着したことを特徴とする光ピックアップ装置。
【発明の詳細な説明】
【０００１】
【発明の属する技術分野】
本発明は、オプチカルベース上で対物レンズを取り付けたレンズホルダーを複数本（４本）のサスペンションワイヤを介してサスペンションに揺動自在に支持して、レンズホルダーと一体に対物レンズを光ディスクに対してフォーカス方向及びトラッキング方向に揺動させる光ピックアップ装置において、対物レンズの光軸が光ディスクの信号面に対して略垂直な姿勢を取るようにチルト調整できる光ピックアップ装置に関するものである。
【０００２】
【従来の技術】
音声信号，映像信号，データ信号などの各種の情報信号を高密度に記録及び／又は再生できる光ディスクは、光ディスクドライブ内に移動自在に設けた光学ピックアップ装置により信号面上の所望の記録トラックを高速にアクセスできることから多用されている。
【０００３】
この際、上記した光学ピックアップ装置は、半導体レーザーから出射したレーザー光を対物レンズにより絞り込んで光スポットを得て、この光スポットを光ディスクの信号面上の記録トラックに照射し、且つ、信号面の反射膜で反射された戻り光をフォトディテクタにより検出して情報信号を再生している。尚、情報信号を光ディスクの信号面上に記録する場合にはレーザーパワーの強い記録用の光スポットを信号面上に照射し、一方、記録済みの情報信号を再生する場合にはレーザーパワーの弱い再生用の光スポットを信号面上に照射している。
【０００４】
ところで、光ディスクに情報信号を記録及び／又は再生する際に、光ディスクの信号面に対する対物レンズの光軸は、光学的な収差等を抑制する上から正確に垂直状態となっていることが好ましいが、光ピックアップの組み立て誤差等に起因して上記したような正確な垂直状態を確保することはかなり困難なので、光ディスクに対して対物レンズの光軸の傾きを調整するためのチルト調整機構が要求されるようになった。
【０００５】
図１は従来例における一例のチルト調整機構を備えた光ピックアップ装置を示した斜視図である。
【０００６】
図１に示した如く、従来例における一例のチルト調整機構を備えた光ピックアップ装置１０Ａでは、基台となるオプチカルベース１１が絶縁性を有する樹脂材を用いて成形加工により一体的に形成されている。このオプチカルベース１１の上面１１ａは不図示の光ディスクの信号面と略平行に形成されており、この上面１１ａの前方に上面１１ａより一段下がってガイドレール支持部１１ｂが形成され、且つ、このガイドレール支持部１１ｂに不図示の光ディスクドライブ内に設けたガイドレールＧＲが摺動自在に嵌合することで、オプチカルベース１１が後述する対物レンズ１３を取り付けたレンズホルダー１４と一体に不図示の光ディスクの径方向に移動可能になっている。
【０００７】
上記したオプチカルベース１１の上面１１ａ上には、軟磁性鋼板などを用いて形成したヨークベース１２の平坦面１２ａが取り付けられており、且つ、この平坦面１２ａの上方に対物レンズ１３を取り付けたレンズホルダー１４が上下左右合計で４本のサスペンションワイヤ１５を介してサスペンション１６に揺動自在に支持されている。
【０００８】
より具体的には、まず、上記したヨークベース１２は、レンズホルダー１４を挟んだ前後に一対の第１ヨーク部１２ｂ，１２ｃが平坦面１２ａから上方に向かって切り起こし形成されていると共に、レンズホルダー１４内で対物レンズ１３を挟んだ前後に貫通して略矩形状に形成した一対の貫通孔１４ａ，１４ｂ内に一対の第２ヨーク部１２ｄ，１２ｅが上方に向かって切り起こされて進入している。
【０００９】
また、ヨークベース１２の平坦面１２ａには、対物レンズ１３の下方にレーザー光通過用の貫通孔１２ｆが穿設されている。更に、ヨークベース１２に形成した一対の第１ヨーク部１２ｂ，１２ｃの内側に一対のマグネット１７，１７が固着されており、且つ、一対のマグネット１７，１７は一対の第２ヨーク部１２ｄ，１２ｅにそれぞれ対向している。
【００１０】
次に、レンズホルダー１４は絶縁性を有する樹脂材を用いて小型軽量に直方形状に形成されており、中心部に形成した不図示の対物レンズ取付用段付き孔内の上方部位に対物レンズ１３が接着剤などにより取り付けられていると共に、直方形状の外周部位に沿ってフォーカスコイル１８が巻回しながら接着剤などにより固着され、且つ、一対のマグネット１７，１７と対向する外周部位側に前後２個づづで合計４個のトラッキングコイル１９が接着剤などにより固着されている。
【００１１】
次に、サスペンション１６は絶縁性を有する樹脂材を用いてコ字枠状に形成されており、且つ、サスペンション１６はヨークベース１２の平坦面１２ａの上方でこのヨークベース１２に形成した一対の第１ヨーク部１２ｂ，１２ｃのうちで後方の第１ヨーク部１２ｃにネジ２０を用いて固着されている。
【００１２】
そして、上下左右合計で４本のサスペンションワイヤ１５は、半田付け可能な導電性を有する線材を用いてレンズホルダー１４とサスペンション１６との間で不図示の光デイスクの信号面に対して略平行に配置されている。また、４本のサスペンションワイヤ１５の各一端部側をレンズホルダー１４の左右側面の上下に突出形成した４本の凸部１４ｃにそれぞれ支持させると共に、各一端部側の先端部位をレンズホルダー１４の左右側面の上下に圧入した４本の導電性ピン２１にフォーカスコイル１８の端部又はトラッキングコイル１９の端部と一緒に半田付けし、且つ、各一端部側と反対側の各他端部をサスペンション１６の左右側面側の上下にそれぞれ支持させると共に、各他端部の先端部位をサスペンション１６の後面に固着させた配線基板２２にそれぞれ半田付けしている。
【００１３】
尚、レンズホルダー１４を半田付けに対して耐熱性を有する樹脂材を用いて成形した場合には、レンズホルダー１４の左右側面の上下に４本の導電性ピン２１を圧入せずに、４本の導電性ピン２１に代えてレンズホルダー１４の左右側面の上下にレンズホルダー１４と一体に４本の端子（図示せず）を突出させ、各端子にフォーカスコイル１８の端部又はトラッキングコイル１９の端部を予めからませた上で、フォーカスコイル１８の端部又はトラッキングコイル１９の端部と一緒にサスペンションワイヤ１５の各一端部を半田付けする方法もある。
【００１４】
従って、フォーカスコイル１８及びトラッキングコイル１９は４本のサスペンションワイヤ１５のいずれかを介して配線基板２２に電気的に接続され、更に、配線基板２２から４本のケーブル２３を介してオプチカルベース１１に形成したガイドレール支持部１１ｂと略直交する側面１１ｃに沿って略垂直に取り付けたコネクタ回路基板２４に電気的に接続され、信号源側のコネクタ（図示せず）をコネクタ回路基板２４に取り付けたコネクタ２５に接続することで、フォーカスコイル１８及びトラッキングコイル１９にフォーカス駆動電流及びトラッキング駆動電流が供給されるようになっている。
【００１５】
これにより、フォーカスコイル１８及びトラッキングコイル１９に各駆動電流を供給すると、一対の第１ヨーク部１２ｂ，１２ｃに固着した一対のマグネット１７，１７と、一対の第２ヨーク部１２ｄ，１２ｅとの間に発生する磁界により、レンズホルダー１４に取り付けた対物レンズ１３が４本のサスペンションワイヤ１５を介して不図示の光ディスクに対してフォーカス方向ＦＯ及びトラッキング方向ＴＲに揺動自在になっている。
【００１６】
更に、オプチカルベース１１の側面１１ｃ側で上方に向かって突出形成した板バネ支持台１１ｄ上にチルト調整用板バネ２６が固着されており、このチルト調整用板バネ２６の先端部位から下方に向かって折り曲げ形成した折り曲げ部２６ａがヨークベース１２の平坦面１２ａ上に常に当接している。そして、オプチカルベース１１の裏面側に設けた不図示のチルト調整用ネジでヨークベース１２の裏面側を、ヨークベース１２の平坦面１２ａに当接しているチルト調整用板バネ２６の付勢力に抗して押し上げて、レンズホルダー１４に取り付けた対物レンズ１３の光軸Ｋが不図示の光ディスクの信号面に対して略垂直な姿勢を取るようにチルト調整を行った後、樹脂材を用いて成形した化粧カバー２７をレンズホルダー１４の上方部位に嵌め込んでいる。
【００１７】
尚、ここでの図示を省略するものの、オプチカルベース１１の裏面側には、レーザー光を対物レンズ１３側に出射する半導体レーザーと、半導体レーザーからのレーザー光をビームスプリッタを介して対物レンズ１３で絞り込んで得た光スポットを光ディスクの信号面に照射し、この信号面の反射膜で反射された戻り光を対物レンズ１３，ビームスプリッタを介して検出して情報信号を再生するフォトディテクタなどが設けられている。
【００１８】
更に、光ピックアップ装置の小型化，高性能化，生産性などを図る場合には、オプチカルベース１１の裏面側に、レーザー光を出射する半導体レーザー，光ディスクからの戻り光を回折するホログラム素子，ホログラム素子で回折した戻り光を検出するフォトディテクタなどを一体的に集積したホログラムデバイスが設けられている。
【００１９】
次に、図２は従来例における他例のチルト調整機構を備えた光ピックアップ装置を示した断面図である。
【００２０】
図２に示した如く、従来例における他例のチルト調整機構を備えた光ピックアップ装置６０では、基台となるオプチカルベース６１の枠内部６１ａに、レーザー光を出射させる半導体レーザー６２と、半導体レーザー６２からのレーザー光を反射して後述する対物レンズ６５を介して光ディスクＤ側に向けて立ち上げる立ち上げミラー６３とが設けられている。
【００２１】
また、オプチカルベース６１の上面６１ｂから上方に向けて突出形成した部位に凹状球面部６１ｃが対物レンズ６５の中心点ＬＯを中心として半径Ｒで形成され、且つ、この凹状球面部６１ｃの中心部に半導体レーザー６２からのレーザー光を通過させるための貫通孔６１ｃ１が穿設されている。
【００２２】
一方、オプチカルベース６１の上面６１ｂの上方には、樹脂材を用いて枠状に形成した可動部枠体６４が配置されている。そして、可動部枠体６４の上面６４ａ上には、対物レンズ６５を対物レンズ取付用段付き孔６６ａ内に取り付けたレンズホルダー６６が上下左右で合計４本（上下２本のみ図示）のサスペンションワイヤ６７を介してサスペンション６８に揺動自在に支持されている。
【００２３】
また、可動部枠体６４内で対物レンズ６５の下方には、下面６４ｂから下方に向けて突出形成した凸状球面部６４ｃが対物レンズ６５の中心点ＬＯを中心として略半径Ｒで形成され、且つ、この凸状球面部６４ｃの中心部に半導体レーザー６２からのレーザー光を通過させるための貫通孔６４ｃ１が穿設されている。
【００２４】
そして、オプチカルベース６１に形成した凹状球面部６１ｃと、可動部枠体６４に形成した凸状球面部６４ｃとでチルト機構が構成され、オプチカルベース６１の凹状球面部６１ｃ上に可動部枠体６４の凸状球面部６４ｃを摺動可能に嵌合させて、対物レンズ６５の光軸Ｋが光ディスクＤの信号面に対して略垂直な姿勢を取るように可動部枠体６４の凸状球面部６４ｃをオプチカルベース６１の凹状球面部６１ｃ上でチルト方向に３次元的に変位させることにより、可動部枠体６４の傾斜角をチルト調整した後に、オプチカルベース６１の上面６１ｂと可動部枠体６４の下面６４ｂとの間に接着剤６９を挿入して両者６１，６４をチルト調整した状態で接着して固定している。
【００２５】
【発明が解決しようとする課題】
ところで、図１に示した従来例における一例のチルト調整機構を備えた光ピックアップ装置１０Ａでは、前述したように、オプチカルベース１１の裏面側に設けた不図示のチルト調整用ネジでヨークベース１２の裏面側を、ヨークベース１２の平坦面１２ａに当接しているチルト調整用板バネ２６の付勢力に抗して押し上げて、レンズホルダー１４に取り付けた対物レンズ１３の光軸Ｋが不図示の光ディスクの信号面に対して略垂直な姿勢を取るようにチルト調整を行った後に、不図示のチルト調整用ネジ及び／ヨークベース１２／サスペンション１６を接着剤などを用いて固定しているものの、不図示のチルト調整用ネジ及びチルト調整用板バネ２６よりなるチルト調整機構が複雑で問題である。
【００２６】
一方、図２に示した従来例における他例のチルト調整機構を備えた光ピックアップ装置６０では、前述したように、オプチカルベース６１に形成した凹状球面部６１ｃ上に、可動部枠体６４に形成した凸状球面部６４ｃを摺動可能に嵌合させて、対物レンズ６５の光軸Ｋが光ディスクＤの信号面に対して略垂直な姿勢を取るように可動部枠体６４の傾斜角をチルト調整した後に、オプチカルベース６１の上面６１ｂと可動部枠体６４の下面６４ｂとの間に接着剤６９を挿入して両者６１，６４をチルト調整した状態で接着して固定しているものの、接着による固定方法はチルトする方向（上下方向）に接着剤６９を塗布しているために、接着剤６９の経時変化による収縮や、接着剤６９の温度変化による収縮に起因する応力変化がチルト方向（上下方向）に生じるために、チルト調整後に対物レンズ６５のチルト角度がずれてしまうなどの問題が発生している。
【００２７】
そこで、簡単な構造で光ディスクの信号面に対して対物レンズを確実にチルト調整できる光ピックアップ装置が望まれている。
【００２８】
【課題を解決するための手段】
本発明は上記課題に鑑みてなされたものであり、第１の発明は、対物レンズを取り付けたレンズホルダーを４本のサスペンションワイヤの各一端部で支持し、且つ、前記４本のサスペンションワイヤの各他端部をベース上に設けたサスペンションに揺動自在に支持すると共に、前記対物レンズの光軸が光ディスクの信号面に対して略垂直な姿勢を取るように前記レンズホルダーの傾斜角をチルト調整可能に構成した光ピックアップ装置において、
前記４本のサスペンションワイヤの各他端部を前記サスペンションの左右側面側の上下に予め支持した上で、前記４本のサスペンションワイヤの各一端部を前記対物レンズの光軸が光ディスクの信号面に対して略垂直な姿勢を取るように前記レンズホルダーの左右側面の上下に突出して設けた４本の端子の各先端部端面のところで半田付け又は導電性ペーストもしくは接着剤により接合したことを特徴とする光ピックアップ装置。
【００２９】
また、第２の発明は、対物レンズを取り付けたレンズホルダーを複数本のサスペンションワイヤを介して可動部枠体内に揺動自在に支持し、且つ、前記可動部枠体内で前記対物レンズの下方に形成した凸状球面部をオプチカルベースに形成した凹状球面部上に摺動可能に嵌合させて、前記対物レンズの光軸が光ディスクの信号面に対して略垂直な姿勢を取るように前記可動部枠体の凸状球面部を前記オプチカルベースの凹状球面部上で変位させることにより前記可動部枠体の傾斜角をチルト調整した上でこの可動部枠体の外側面を前記オプチカルベース上に接着剤を用いて固着させた光ピックアップ装置において、
前記傾斜角をチルト調整した前記可動部枠体の外側面の上方部位を、前記オプチカルベース上に設けた固定壁の上方部位に前記接着剤を用いて前記光ディスクの信号面と略平行な方向に接着したことを特徴とする光ピックアップ装置である。
【００３０】
【発明の実施の形態】
以下に本発明に係る光ピックアップ装置の一実施例を図３乃至図８を参照して＜第１実施例＞，＜第２実施例＞の順に詳細に説明する。
【００３１】
＜第１実施例＞
図３は本発明に係る第１実施例の光ピックアップ装置を示した斜視図、
図４は本発明に係る第１実施例の光ピックアップ装置において、対物レンズを取り付けたレンズホルダーをチルト調整した状態で４本のサスペンションワイヤに半田付けした場合を示した斜視図、
図５は本発明に係る第１実施例の光ピックアップ装置において、対物レンズを取り付けたレンズホルダーをチルト調整する際に、レンズホルダーの側面に取り付けた４本の端子と４本のサスペンションワイヤとの位置関係を説明するために模式的に示した側面図であり、（ａ）はレンズホルダーが回動不可能状態を示し、（ｂ），（ｃ）はレンズホルダーが回動可能状態を示した図である。
【００３２】
図３及び図４に示した本発明に係る第１実施例の光ピックアップ装置１０Ｂは、先に図１を用いて説明した従来例における一例の光ピックアップ装置１０Ａの構成と一部を除いて同様の構成であり、ここでは説明の便宜上、先に示した構成部材に対しては同一の符号を付し、且つ、先に示した構成部材は必要に応じて適宜説明し、従来と異なる構成部材に新たな符号を付して従来と異なる点を中心にして説明する。
【００３３】
図３及び図４に示した如く、本発明に係る第１実施例の光ピックアップ装置１０Ｂでは、先に図１を用いて説明した従来例における一例の光ピックアップ装置１０Ａと同様に、オプチカルベース１１の上面１１ａ上で対物レンズ１３を取り付けたレンズホルダー１４を複数本（４本）のサスペンションワイヤ１５を介して不図示の光ディスクに対してフォーカス方向ＦＯ及びトラッキング方向ＴＲに揺動させているものの、従来例における一例の光ピックアップ装置１０Ａと異なる点を説明すると、オプチカルベース１１の上面１１ａ上には板バネ支持台１１ｄは形成されてなく、これに伴って板バネ支持台１１ｄ上に固着するチルト調整用板バネ２６も設けられていない。
【００３４】
また、ヨークベース１２の後方に切り起こした第１ヨーク部１２ｃにサスペンション１６がネジ２０を用いて固着されてなく、このサスペンション１６に代えてオプチカルベース１１の上面１１ａの後方にサスペンション部１１ｅがコ字枠状に一体的に形成されており、これにより、オプチカルベース１１に形成したサスペンション部１１ｅの寸法精度を確保できる。
【００３５】
尚、この第１実施例において、図１を用いて説明した従来例と同様に、オプチカルベース１１に対して別体のサスペンション１６をヨークベース１２の第１ヨーク部１２ｃにネジ２０を用いて固着させた場合でも適用可能である。
【００３６】
また、対物レンズ１３を取り付けるためのレンズホルダー１４は、半田付けに対して耐熱性及び絶縁性を有する樹脂材を用いて成形加工により形成されている。このレンズホルダー１４は、左右側面の上下に従来例で説明したような４本の凸部１４ｃ及び４本の導電性ピン２１が設けられてなく、これらに代えてレンズホルダー１４の左右側面の上下に４本の端子１４ｄが対物レンズ１３の略中心位置に合わせてレンズホルダー１４と一体に左右側面から突出して設けられている。そして、レンズホルダー１４の左右側面の上下に突出させた４本の端子１４ｄのいずれかに、フォーカスコイル１８の端部及びトラッキングコイル１９の端部を予めからませている。
【００３７】
ここで、第１実施例では、対物レンズ１３を取り付けたレンズホルダー１４を、４本のサスペンションワイヤ１５を介してオプチカルベース１１に形成したサスペンション部１１ｅに揺動自在に支持する際に、４本のサスペンションワイヤ１５を不図示の光デイスクの信号面に対して略平行に配置すると共に、４本のサスペンションワイヤ１５の各他端部をサスペンション部１１ｅの左右側面側の上下にそれぞれ充填したダンピング材２８及び接着材２９で固着した状態で、各他端部の先端部位をサスペンション部１１ｅの後面に接着剤で固着させた配線基板２２にそれぞれ半田付けしている。
【００３８】
この後、レンズホルダー１４の傾斜角を後述するように予めチルト調整した上で、４本のサスペンションワイヤ１５の各一端部をレンズホルダー１４の左右側面の上下に突出させた４本の端子１４ｄに予めからませたフォーカスコイル１８の端部及びトラッキングコイル１９の端部と一緒に半田付けするにあたって、４本のサスペンションワイヤ１５の各一端部をレンズホルダー１４の左右側面の上下に突出させた４本の端子１４ｄの先端部端面のところで半田付けするか、又は、導電性ペーストを用いて接合したことを特徴としている。これにより、４本のサスペンションワイヤ１５のいずれかにフォーカスコイル１８及びトラッキングコイル１９が電気的に接続されるようになっている。
【００３９】
この際、４本のサスペンションワイヤ１５の各一端部をレンズホルダー１４の左右側面の上下に突出させた４本の端子１４ｄのところで半田付けする前に、図５（ａ）〜（ｃ）に示した如く、レンズホルダー１４に取り付けた対物レンズ１３の光軸Ｋを不図示の光ディスクの信号面に対して略垂直な姿勢を取るようにレンズホルダー１４の中心点ＬＨＯを中心としてレンズホルダー１４を回動させる必要がある。
【００４０】
具体的に説明すると、図５（ａ）に示した状態は、対物レンズ１３を取り付けたレンズホルダー１４がチルト方向に回動不可能な状態を示している。即ち、対物レンズ１３を取り付けたレンズホルダー１４を、このレンズホルダー１４の中心点ＬＨＯを中心にしてチルト方向（上下方向）に傾ける際に、４本のサスペンションワイヤ１５の各一端部をレンズホルダー１４の左右側面の上下に突出させた４本の端子１４ｄのうちで延出した部位の上下で半田付けしようとすると、４本のサスペンションワイヤ１５は不図示の光デイスクの信号面に対して略平行になるようにオプチカルベース１１のサスペンション部１１ｅに予め支持されているため、レンズホルダー１４のチルト方向（上下方向）への回動時に、４本のサスペンションワイヤ１５の各一端部は端子１４ｄのうちで延出した部位によって上方に押し上げられて（又は下方に押し下げられて）変形してしまうか、あるいは、端子１４ｄのうちで延出した部位から遠ざかってしまい半田付けが困難になってしまう。
【００４１】
そこで、この第１実施例では、図５（ｂ），（ｃ）に示した如く、対物レンズ１３を取り付けたレンズホルダー１４をチルト方向に回動可能な状態にしている。即ち、レンズホルダー１４の左右側面の上下に突出させた４本の端子１４ｄの先端部に、レンズホルダー１４の中心点ＬＨＯを中心にして半径ｒで先端部円弧状端面１４ｄ１を成形加工により形成している。そして、４本のサスペンションワイヤ１５の各一端部を４本の端子１４ｄの各先端部円弧状端面１４ｄ１の外側に配置すれば、４本のサスペンションワイヤ１５の各一端部が４本の端子１４ｄに当接することなく、レンズホルダー１４を中心点ＬＨＯを中心にしてチルト方向に回動できるので、例えば図５（ｃ）に示したようにレンズホルダー１４に取り付けた対物レンズ１３の光軸Ｋが不図示の光ディスクに対してθだけ傾いている場合には、図５（ｂ）に示したように対物レンズ１３の光軸Ｋが不図示の光ディスクに対して略垂直な姿勢を取るようにレンズホルダー１４の傾斜角をチルト調整した後に、４本のサスペンションワイヤ１５の各一端部を４本の端子１４ｄの各先端部円弧状端面１４ｄ１のところで半田付けできる。
【００４２】
尚、４本のサスペンションワイヤ１５の各一端部を４本の端子１４ｄの各先端部円弧状端面１４ｄ１のところで導電性ペーストを用いて接合しても良い。
【００４３】
従って、第１実施例の光ピックアップ装置１０Ｂによれば、特別なチルト調整機構をオプチカルベース１１上に設ける必要がないために、光ピックアップ装置１０Ｂを安価に提供できる。
【００４４】
尚、上記した第１実施例では半田付けに対して耐熱性を有する樹脂材を用いてレンズホルダー１４を成形し、且つ、このレンズホルダー１４の左右側面の上下に突出させた４本の端子１４ｄを一体成形して、４本の端子１４ｄのいずれかにフォーカスコイル１８の端部及びトラッキングコイル１９の端部を予めからませることで４本のサスペンションワイヤ１５の各一端部を４本の端子１４ｄの先端部円弧状端面１４ｄ１のところで電気的に接続した場合を説明したが、これに限ることなく、レンズホルダー１４を耐熱性のない樹脂材で成形した場合には、４本の端子１４ｄを一体成形せずにこれに代えて４本の導電性端子（図示せず）をレンズホルダー１４の左右側面の上下に圧入して突出させ且つ各導電性端子の先端に先端部円弧状端面を形成して上記と同じく配置すれば、レンズホルダー１４をチルト調整した状態で４本の導電性端子の先端部円弧状端面に４本のサスペンションワイヤ１５を電気的に接続できると共に、４本の導電性端子にフォーカスコイル１８の端部及びトラッキングコイル１９の端部も電気的に接続できる。
【００４５】
尚更に、上記した第１実施例では、レンズホルダー１４をチルト調整した状態で４本のサスペンションワイヤ１５の各一端部を上記した４本の端子１４ｄの先端部円弧状端面１４ｄ１のところでフォーカスコイル１８の端部及びトラッキングコイル１９の端部と一緒に半田付けるか、又は、導電ペーストを用いて電気的に接合しているが、これに限ることなく、フォーカスコイル１８及びトラッキングコイル１９を接合するために上記とは別の４本の端子をレンズホルダー１４の左右側面の上下に追加して設けた場合には、レンズホルダー１４をチルト調整した状態で４本のサスペンションワイヤ１５の各一端部を上記した４本の端子１４ｄの先端部円弧状端面１４ｄ１のところで接着剤を用いて接合すると共に、４本のサスペンションワイヤ１５の各一端部の先端を別の４本の端子にフォーカスコイル１８及びトラッキングコイル１９と一緒に半田付けしても良い。
【００４６】
＜第２実施例＞
図６は本発明に係る第２実施例の光ピックアップ装置を示した斜視図、
図７は本発明に係る第２実施例の光ピックアップ装置において、対物レンズを取り付けたレンズホルダーを４本のサスペンションワイヤを介して可動部枠体内に揺動自在に支持した状態で可動部枠体をチルト調整した後に、可動部枠体をオプチカルベース上に接着材を用いて接着した状態を示した斜視図、
図８は本発明に係る第２実施例の光ピックアップ装置において、オプチカルベースと可動部枠体とに形成したチルト調整機構を説明するための断面図である。
【００４７】
図６及び図７に示した本発明に係る第２実施例の光ピックアップ装置１０Ｃは、先に図１を用いて説明した従来例における一例の光ピックアップ装置１０Ａと、先に図２を用いて説明した従来例における他例の光ピックアップ装置６０とを組み合わせて構成したものであり、ここでは説明の便宜上、先に示した構成部材に対しては同一の符号を付し、且つ、先に示した構成部材は必要に応じて適宜説明し、従来と異なる構成部材に新たな符号を付して従来と異なる点を中心にして説明する。
【００４８】
図６及び図７に示した本発明に係る第２実施例の光ピックアップ装置１０Ｃでは、先に図１を用いて説明した従来例における一例の光ピックアップ装置１０Ａに対して先に図２を用いて説明した従来例における他例の光ピックアップ装置６０の技術的思想を適用している。
【００４９】
この第２実施例では、オプチカルベース１１の上面１１ａの上方に配置した可動部枠体４１を樹脂材を用いて枠状に形成すると共に、この可動部枠体４１の上面４１ａが開口され、且つ、後方部位にサスペンション部４１ｂが一体的に形成されている。
【００５０】
そして、可動部枠体４１内に、対物レンズ１３を取り付けたレンズホルダー１４を複数本（４本）のサスペンションワイヤ１５を介してサスペンション部４１ｂに支持し、且つ、レンズホルダー１４に取り付けた対物レンズ１３が不図示の光ディスクに対してフォーカス方向ＦＯ及びトラッキング方向ＴＲに揺動自在になっている。
【００５１】
この第２実施例で可動部枠体４１を適用するに伴って、先に図１を用いて説明した従来例における一例の光ピックアップ装置１０Ａと異なる点を説明すると、オプチカルベース１１の上面１１ａ上にヨークベース１２が設けられてなく、これに代わってコ字状に折り曲げた一対のヨーク材４３，４３が可動部枠体４１の前方部位と後方のサスペンション部４１ｂに下面４１ｅ側から上面４１ａ側に向かって圧入などにより固着されている。そして、一対のヨーク材４３，４３はコ字状に折り曲げた各一方の片に一対のマグネット１７，１７が固着され、且つ、各一方の片と対向する各他方の片がレンズホルダー１４内で対物レンズ１３を挟んだ前後に貫通して略矩形状に形成した一対の貫通孔１４ａ，１４ｂ内に進入している。更に、ヨークベース１２の上方には別体のサスペンション１６が設けられてなく、これに代わって可動部枠体４１内にサスペンション部４１ｂが一体的に形成されている。
【００５２】
そして、４本のサスペンションワイヤ１５の各一端部をレンズホルダー１４の左右側面の上下に突出形成した４本の凸部１４ｃにそれぞれ支持させると共に、各一端部側の先端部位をレンズホルダー１４の左右側面の上下に圧入した４本の導電性ピン２１にフォーカスコイル１８の端部又はトラッキングコイル１９の端部と一緒に半田付けし、且つ、各一端部側と反対側の各他端部をサスペンション部４１ｂの左右側面側の上下にそれぞれに充填したダンピング材４４及び接着材４５で固着した状態で支持させると共に、各他端部の先端部位をサスペンション部４１ｂの後面に接着剤で固着させた配線基板２２にそれぞれ半田付けしている。
【００５３】
尚、この第２実施例でも、先に図１を用いて説明した従来例と同様に、レンズホルダー１４を半田付けに対して耐熱性を有する樹脂材を用いて成形した場合には、レンズホルダー１４の左右側面の上下に４本の導電性ピン２１を圧入せずに、４本の導電性ピン２１に代えてレンズホルダー１４の左右側面の上下にレンズホルダー１４と一体に４本の端子（図示せず）を突出させ、各端子にフォーカスコイル１８の端部又はトラッキングコイル１９の端部を予めからませた上で、フォーカスコイル１８の端部又はトラッキングコイル１９の端部と一緒にサスペンションワイヤ１５の各一端部を半田付けする方法もある。
【００５４】
また、図８に断面して示した如く、オプチカルベース１１の上面１１ａ上には、凹状球面部１１ｈが対物レンズ１３の中心点ＬＯを中心として半径Ｒで形成され、且つ、この凹状球面部１１ｈの中心部にレーザー光を通過させるための貫通孔１１ｈ１が穿設されている。
【００５５】
また、可動部枠体４１内で対物レンズ１３の下方には、下面４１ｅから下方に向けて突出形成した凸状球面部４１ｆが対物レンズ１３の中心点ＬＯを中心として略半径Ｒで形成され、且つ、この凸状球面部４１ｆの中心部にレーザー光を通過させるための貫通孔４１ｆ１が穿設されている。
【００５６】
そして、オプチカルベース１１に形成した凹状球面部１１ｈと、可動部枠体４１に形成した凸状球面部４１ｆとでチルト機構が構成され、オプチカルベース１１の凹状球面部１１ｈ上に可動部枠体４１の凸状球面部４１ｆを摺動可能に嵌合させて、対物レンズ１３の光軸Ｋが不図示の光ディスクの信号面に対して略垂直な姿勢を取るように可動部枠体４１の凸状球面部４１ｆをオプチカルベース１１の凹状球面部１１ｈ上でチルト方向に３次元的に変位させて、可動部枠体４１の傾斜角をチルト調整した後に、傾斜角をチルト調整した可動部枠体４１の左右の外側面４１ｃ，４１ｄの上方部位をオプチカルベース１１の上面１１ａ上の左右に垂設した固定壁１１ｆ，１１ｇの各上方部位に接着材４２を用いて接着して固定している。この際、オプチカルベース１１上に形成した固定壁１１ｆ，１１ｇの各上方部位は、可動部枠体４１の左右の外側面４１ｃ，４１ｄの上方部位を接着し易いように外側面４１ｃ，４１ｄ側のコーナ部位を図示のように一段くぼませている。
【００５７】
従って、可動部枠体４１の左右の外側面４１ｃ，４１ｄの上方部位と、オプチカルベース１１の上面１１ａ上の左右に垂設した固定壁１１ｆ，１１ｇの上方部位との間に接着材４２が充填されることで、接着材４２の接着方向は不図示の光ディスクの信号面と略平行な方向であり、言い換えると、チルト方向（上下方向）に対して略直交した方向に接着されているので、図２に示した従来例における他例の光ピックアップ装置６０の場合と異なって、接着材４２の経時変化による収縮や、接着材４２の温度変化による収縮に起因する応力変化がチルト方向（上下方向）に生じないために、チルト調整後に対物レンズ１３のチルト角度がずれてしまうなどの問題が全く発生しなくなるので、光ピックアップ装置１０Ｃへの品質向上及び信頼性向上に寄与できる。
【００５８】
この後、樹脂材を用いて成形した化粧カバー４６（図６）をレンズホルダー１４の上方部位に嵌め込んでいる。
【００５９】
尚、第１，第２実施例では、揺動可能なレンズホルダー１４にフォーカスコイル１８及びトラッキングコイル１９を固着させることでムービングコイル方式（ＭＣ方式）を適用した場合について説明したが、これに限ることなく、図示を省略するものの、固定部側となるオプチカルベース１１側にフォーカスコイル及びトラッキングコイルが固着され、且つ、可動部側となるレンズホルダー側にマグネットが固着されたムービングマグネット方式（ＭＭ方式）を適用した場合でも、本発明の要部となるチルト調整を適用できる。
【００６０】
【発明の効果】
以上詳述した本発明に係る光ピックアップ装置において、請求項１記載によると、とくに、対物レンズを取り付けたレンズホルダーを４本のサスペンションワイヤの各一端部で支持し、且つ、４本のサスペンションワイヤの各他端部をベース上に設けたサスペンションに揺動自在に支持すると共に、対物レンズの光軸が光ディスクの信号面に対して略垂直な姿勢を取るようにレンズホルダーの傾斜角をチルト調整するにあたって、４本のサスペンションワイヤの各他端部をサスペンションの左右側面側の上下に予め支持した上で、４本のサスペンションワイヤの各一端部を対物レンズの光軸が光ディスクの信号面に対して略垂直な姿勢を取るようにレンズホルダーの左右側面の上下に突出して設けた４本の端子の各先端部端面のところで半田付け又は導電性ペーストもしくは接着剤により接合したため、特別なチルト調整機構をオプチカルベース上に設ける必要がないので、光ピックアップ装置を安価に提供できる。
【００６１】
また、請求項２記載によると、とくに、対物レンズを取り付けたレンズホルダーを複数本のサスペンションワイヤを介して可動部枠体内に揺動自在に支持し、且つ、可動部枠体内で対物レンズの下方に形成した凸状球面部をオプチカルベースに形成した凹状球面部上に摺動可能に嵌合させて、対物レンズの光軸が光ディスクの信号面に対して略垂直な姿勢を取るように可動部枠体の凸状球面部をオプチカルベースの凹状球面部上で変位させることにより可動部枠体の傾斜角をチルト調整した上でこの可動部枠体の外側面をオプチカルベース上に接着材を用いて固着させるにあたって、傾斜角をチルト調整した可動部枠体の外側面の上方部位を、オプチカルベース上に設けた固定壁の上方部位に接着材を用いて光ディスクの信号面と略平行な方向に接着したため、接着材の経時変化による収縮や、接着材の温度変化による収縮に起因する応力変化がチルト方向（上下方向）に生じないので、チルト調整後に対物レンズのチルト角度がずれてしまうなどの問題が全く発生しなくなり、光ピックアップ装置への品質向上及び信頼性向上に寄与できる。
【図面の簡単な説明】
【図１】従来例における一例のチルト調整機構を備えた光ピックアップ装置を示した斜視図である。
【図２】従来例における他例のチルト調整機構を備えた光ピックアップ装置を示した断面図である。
【図３】本発明に係る第１実施例の光ピックアップ装置を示した斜視図である。
【図４】本発明に係る第１実施例の光ピックアップ装置において、対物レンズを取り付けたレンズホルダーをチルト調整した状態で４本のサスペンションワイヤに半田付けした場合を示した斜視図である。
【図５】本発明に係る第１実施例の光ピックアップ装置において、対物レンズを取り付けたレンズホルダーをチルト調整する際に、レンズホルダーの側面に取り付けた４本の端子と４本のサスペンションワイヤとの位置関係を説明するために模式的に示した側面図であり、（ａ）はレンズホルダーが回動不可能状態を示し、（ｂ），（ｃ）はレンズホルダーが回動可能状態を示した図である。
【図６】本発明に係る第２実施例の光ピックアップ装置を示した斜視図である。
【図７】本発明に係る第２実施例の光ピックアップ装置において、対物レンズを取り付けたレンズホルダーを４本のサスペンションワイヤを介して可動部枠体内に揺動自在に支持した状態で可動部枠体をチルト調整した後に、可動部枠体をオプチカルベース上に接着材を用いて接着した状態を示した斜視図である。
【図８】本発明に係る第２実施例の光ピックアップ装置において、オプチカルベースと可動部枠体とに形成したチルト調整機構を説明するための断面図である。
【符号の説明】
１０Ｂ…第１実施例の光ピックアップ装置、
１０Ｃ…第２実施例の光ピックアップ装置、
１１…オプチカルベース、１１ａ…上面、１１ｅ…サスペンション部、
１１ｆ，１１ｇ…固定壁、１１ｈ…凹状球面部、
１３…対物レンズ、１３ａ…リング状縁部、
１４…レンズホルダー、１４ｄ…端子、１４ｄ１…先端部円弧状端面、
１４ｅ…対物レンズ取付用段付き孔、
１５…サスペンションワイヤ、
４１…可動部枠体、４１ａ…上面、４１ｃ，４１ｄ…左右の外側面、
４１ｆ…凸状球面部、
４２…接着材、
Ｋ…対物レンズの光軸、
ＬＨＯ…レンズホルダーの中心点、
ＬＯ…対物レズの中心点。
【図１】
2004005841.tif 000003
【図２】
2004005841.tif 000004
【図３】
2004005841.tif 000005
【図４】
2004005841.tif 000006
【図５】
2004005841.tif 000007
【図６】
2004005841.tif 000008
【図７】
2004005841.tif 000009
【図８】
2004005841.tif 000010